(57)【要約】【課題】テーブル什器の天板下方に電子機器を設置した際にも、これに干渉することなく移動什器を良好に組合せることが出来る、テーブル什器及びテーブル装置を提供する。【解決手段】天板支持体４と、天板支持体４上に支持された天板５と、天板５の前後方向中央部に配置され、かつ、天板５の左右方向に沿って形成された配線挿通用開口部６と、天板５の下方に配線挿通用開口部６に連通して天板の左右方向に沿って形成された配線ダクト７と、を有し、天板５の下方の空間部に移動什器３が収容されるように構成されたテーブル什器２である。電子機器２８を保持可能な電子機器保持体２７が、電子機器保持体２７に保持される電子機器２８と共に配線ダクト７の下方に位置するように、電子機器保持体２７を取付部を介して配線ダクト７に吊支し、天板５の下方の空間部における配線ダクト７の前後の空間部を、移動什器３の収容空間４０とした。【選択図】図１
2015080628.tif 000002
【特許請求の範囲】
【請求項１】
床面上に立設される天板支持体と、前記天板支持体上に支持された天板と、前記天板の前後方向における中央部に配置され、かつ、前記天板の左右方向に沿って形成された長孔形状の配線挿通用開口部と、前記天板の前記配線挿通用開口部の下方に該配線挿通用開口部に連通して前記天板の左右方向に沿って形成された配線ダクトと、を有してなり、前記天板の下方の空間部に移動什器の少なくとも一部が収容されるように構成されたテーブル什器であって、
電子機器を保持可能な電子機器保持体が、該電子機器保持体に保持される電子機器と共に前記配線ダクトの下方に位置するように、該電子機器保持体を取付部を介して前記天板または前記配線ダクトに吊支し、
前記天板の下方の空間部における前記配線ダクトの前後の空間部を、前記移動什器の収容空間としたことを特徴とするテーブル什器。
【請求項２】
前記取付部を、前記配線ダクトの下部に設けたことを特徴とする請求項１記載のテーブル什器。
【請求項３】
前記電子機器保持体を前記取付部に、前記天板の左右方向に沿って移動可能に吊支したことを特徴とする請求項１又は２に記載のテーブル什器。
【請求項４】
前記電子機器保持体は、前記電子機器をその向きが垂直軸回りに回動可能に保持することを特徴とする請求項１〜３のいずれか一項に記載のテーブル什器。
【請求項５】
前記天板支持体が床面上に左右に離間して配設されていると共に、該天板支持体間に前記配線ダクトが配設され、
前記電子機器保持体は、該電子機器保持体に保持される電子機器と共に、少なくとも前記天板支持体のいずれか一つに隣接する位置に配置可能に構成されていることを特徴とする請求項１〜４のいずれか一項に記載のテーブル什器。
【請求項６】
請求項１〜５のいずれか一項に記載のテーブル什器と、
前記収容空間に少なくとも一部が収容されるように構成された移動什器と、
を備えることを特徴とするテーブル装置。
【発明の詳細な説明】
【技術分野】
【０００１】
本発明は、オフィスや病院、公共施設等における執務空間において、ワゴンやカート等の移動什器と組合せて使用されるテーブル什器、及び移動什器を備えたテーブル装置に関する。
【背景技術】
【０００２】
オフィスや病院、公共施設等における執務空間においては、作業に必要な物品や電子機器を載置出来るワゴンやカート等の移動什器が多く使用されている。
移動什器としては、物品載置面を形成することにより、この物品載置面上に電子機器等を載置して使用出来るようにしたものが多く見られる（例えば、特許文献１、特許文献２参照）。このため、載置して使用する電子機器に対して、電源を供給する必要が生じている。
【０００３】
このような背景のもとに近年では、テーブル什器として、天板にその上面に開口する配線取出し口を形成し、配線取出し口の下方に配線収容空間を形成し、この配線収容空間に執務空間内に設置された電源から引かれた配線を収容するようにしたものが提案されている。このようなテーブル什器にあっては、その天板下方の空間に電子機器が載置された移動什器の少なくとも一部を配置して互いに組合せることにより、移動什器に載置された電子機器にテーブル什器から電源を供給出来るようにしている。このような構造のテーブル什器によれば、このテーブル什器に移動什器を組合せた際においても、組み合わせた什器全体の占有スペースを小さく収めることが出来ると共に、移動什器に載置された電子機器に電源を容易に供給することが出来る。
【０００４】
また、テーブル什器としては、使用者間での情報共有のための打合せや、情報提供をするための電子機器が設置出来ることが求められている。そのため、テーブル什器では、天板上に広い作業空間を確保するべく、例えば電子機器本体を天板の下方に配置出来るように構成されているのが望ましい。
【先行技術文献】
【特許文献】
【０００５】
【特許文献１】特開２００９−２７９４１４号公報
【特許文献２】特開２０１３−１７７０９号公報
【発明の概要】
【発明が解決しようとする課題】
【０００６】
ところが、前述したようにテーブル什器を移動什器と組合せて使用する場合、天板の下方位置に電子機器本体を設置すると、これが移動什器と干渉してしまい、使い勝手が悪くなるおそれがある。
【０００７】
本発明は前記事情に鑑みてなされたもので、テーブル什器の天板下方に電子機器を設置した際にも、これに干渉することなく移動什器を良好に組合せることが出来る、テーブル什器及びテーブル装置を提供することを目的とする。
【課題を解決するための手段】
【０００８】
本発明のテーブル什器は、床面上に立設される天板支持体と、前記天板支持体上に支持された天板と、前記天板の前後方向における中央部に配置され、かつ、前記天板の左右方向に沿って形成された長孔形状の配線挿通用開口部と、前記天板の前記配線挿通用開口部の下方に該配線挿通用開口部に連通して前記天板の左右方向に沿って形成された配線ダクトと、を有してなり、前記天板の下方の空間部に移動什器の少なくとも一部が収容されるように構成されたテーブル什器であって、電子機器を保持可能な電子機器保持体が、該電子機器保持体に保持される電子機器と共に前記配線ダクトの下方に位置するように、該電子機器保持体を取付部を介して前記天板または前記配線ダクトに吊支し、前記天板の下方の空間部における前記配線ダクトの前後の空間部を、前記移動什器の収容空間としたことを特徴とする。
【０００９】
このテーブル什器によれば、取付部を介して天板または配線ダクトに電子機器保持体を吊支し、電子機器保持体とこれに保持される電子機器とを共に配線ダクトの下方に位置するようにしたので、天板の下方の空間部における配線ダクトの前後の空間部を移動什器の収容空間とすることにより、移動什器を電子機器保持体やこれに保持される電子機器に干渉されることなく、前記収容空間に良好に収めることが出来る。
【００１０】
また、前記テーブル什器においては、前記取付部を、前記配線ダクトの下部に設けたことを特徴とする。
この構成によれば、電子機器保持体とこれに保持される電子機器とを、より確実に配線ダクトの下方に位置させることが出来る。
【００１１】
また、前記テーブル什器においては、前記電子機器保持体を前記取付部に、前記天板の左右方向に沿って移動可能に吊支したことを特徴とする。
この構成によれば、電子機器保持体を天板の左右方向に沿って移動可能に吊支しているので、移動什器の位置や電源の位置に応じて、電子機器の配置を容易に変更することが出来る。
【００１２】
また、前記テーブル什器において、前記電子機器保持体は、前記電子機器をその向きが垂直軸回りに回動可能に保持することを特徴とする。
この構成によれば、電子機器保持体が、電子機器をその向きが垂直軸回りに回動可能に保持するので、電子機器の薄厚となる方向を天板の前後方向に向けることにより、電子機器の前後方向における寸法を小寸に収めることが出来、したがって移動什器の収容空間を広く確保することが出来る。
【００１３】
また、前記テーブル什器においては、前記天板支持体が床面上に左右に離間して配設されていると共に、該天板支持体間に前記配線ダクトが配設され、前記電子機器保持体は、該電子機器保持体に保持される電子機器と共に、少なくとも前記天板支持体のいずれか一つに隣接する位置に配置可能に構成されていることを特徴とする。
この構成によれば、電子機器保持体を、該電子機器保持体に保持される電子機器と共に、少なくとも天板支持体のいずれか一つに隣接する位置に配置可能に構成したので、このように電子機器保持体を天板支持体に隣接配置することにより、電子機器保持体やこれに保持される電子機器が収容空間に収められる移動什器により干渉しないようにすることが出来る。
【００１４】
本発明のテーブル装置は、前記のテーブル什器と、前記収容空間に少なくとも一部が収容されるように構成された移動什器と、を備えることを特徴とする。
このテーブル装置によれば、前記テーブル什器を備えているので、前述したように移動什器を電子機器保持体やこれに保持される電子機器に干渉されることなく、前記収容空間に良好に収めることが出来る。
【発明の効果】
【００１５】
本発明によれば、テーブル什器の天板下方に電子機器を設置した際にも、これに干渉することなく移動什器を良好に組合せることが出来る。
【図面の簡単な説明】
【００１６】
【図１】本発明に係るテーブル装置の一実施形態の概略構成を示す斜視図である。
【図２】テーブル什器の正面図である。
【図３】テーブル什器の側断面図である。
【図４】テーブル什器の平面図である。
【図５】配線ダクトおよびレール部材の分解図である。
【図６】移動什器の概略構成を示す斜視図である。
【図７】移動什器の使用形態を示す側面図である。
【発明を実施するための形態】
【００１７】
以下、本発明に係るテーブル什器及びテーブル装置の実施形態を図面に基づいて詳しく説明する。
なお、以下の説明においては、テーブル什器２における略矩形状の天板５の長辺の長さ方向を左右方向、天板５の短辺の長さ方向を前後方向と記す。
【００１８】
図１は、本発明に係るテーブル装置の一実施形態の概略構成を示す斜視図であり、図１中符号１はテーブル装置である。このデスク装置１は、テーブル什器２と、このテーブル什器２に組み合わされて用いられる移動什器３とを備えて構成されている。
【００１９】
テーブル什器２は、本発明に係るテーブル什器の一実施形態となるもので、床面上に左右に離間して立設され、配設された一対の天板支持体４、４と、これら天板支持体４、４上に支持された天板５と、天板５に形成された二つの配線挿通用開口部６と、天板５の下方でかつ配線挿通用開口部６の下方に配設された配線ダクト７と、を有して構成されている。
【００２０】
天板支持体４は、脚体として機能するもので、テーブル什器２の正面図である図２、およびテーブル什器２の側断面図である図３に示すように、床面上にて前後方向に沿って延びる脚底部８と、この脚底部８上に立てて配置された柱状の脚本体９と、この脚本体９上にて前後方向に沿って延び、天板５を支持する横梁部１０と、によって形成されている。
【００２１】
天板５は、テーブル什器２の平面図である図４に示すように、矩形の一方の短辺を外側に凸となるように湾曲させた略矩形状のもので、その前後方向における中央部に、長孔形状（平面視略矩形状）の配線挿通用開口部６を二つ、それぞれ天板５の左右方向に沿って形成している。これら配線挿通用開口部６は、移動什器３に載せられた電子機器や天板５上に配置される電子機器の電源となる配線コード類を、天板５上に臨ませるためのものである。
【００２２】
これら配線挿通用開口部６には、図１、図３に示すように合成樹脂等よりなる平板状のカバー部材１２、１２が開閉可能に取り付けられ、覆われている。
カバー部材１２は、図３に示すように配線挿通用開口部６下方の左右に配置された一対の支持ブラケット１３の上端に支持された前後一対の支軸１４、１４に、対向端部の係合溝１５が上下方向に回動可能、かつ着脱可能に係合して取り付けられている。左右の支持ブラケット１３は、配線ダクト７内の対応する位置（配線挿通用開口部６下方の左右位置）にそれぞれ設けられた支持部１６に、ネジ１７、１７によって固定されている。
【００２３】
ここで、カバー部材１２は、少なくともその外周側、すなわち配線挿通用開口部６の長辺に対向する側縁部が、可撓性を有する軟質の合成樹脂によって形成されている。これにより、カバー部材１２は図３中に二点鎖線で示すように全体を開かなくても、側縁部を撓ませることで配線挿通用開口部６の一部を開口させることが出来るようになっている。したがって、この開口に配線や後述するクランプ部材などを通すことにより、カバー部材１２を取り付けた状態で配線やクランプ部材などを配線ダクト７内に引き込むことが可能になっている。
【００２４】
配線ダクト７は、前記配線挿通用開口部６と上下方向に連通する開口が形成されるように、互いに前後に離間して配置された一対の側板部材１８、１８を有して構成されている。各側板部材１８には、その上端部に前後方向外側に折曲してなる上部折曲部１９が形成されており、この上部折曲部１９はその一部が天板５の下面に当接している。
【００２５】
上部折曲部１９は、天板５の前後方向外側に折曲した後、下方に折曲し、さらに前後方向内側に折曲し、その後上方に折曲しており、これによって上部折曲部１９の端縁が外側に露出しないようになっている。
また、側板部材１８には、その左右両端部にそれぞれ内側に折曲する内向折曲片（図示せず）が形成されており、これら内向折曲片は左右の天板支持体４、４の上部内面にネジ止めによって固定されている。これにより、各側板部材１８は図２に示すように左右の天板支持体４、４間に架設され、したがって配線ダクト７は天板５の左右方向に沿って天板支持体４、４間に形成されている。
【００２６】
また、側板部材１８には、図３に示すようにその上端部、すなわち上部折曲部１９より下側に切欠２０が形成されている。これによって天板５の下面と側板部材１８との間には、天板５の左右方向に沿って隙間が形成されている。この隙間（切欠２０）には、例えばディスプレイのアームや照明等を天板５上に固定するためのクランプ部材の一方が挿通されるようになっている。このようにクランプ部材の一方を隙間（切欠２０）内に挿通し、クランプ部材の他方とともに天板５を挟持することにより、該クランプ部材を介してディスプレイのアームや照明等を天板５上に固定することが可能になっている。
【００２７】
また、各側板部材１８には、配線ダクト７および後述するレール部材２２の分解図である図５に示すように、それぞれの下端部に前後方向内側に折曲してなる下部折曲部２１が形成されている。これら下部折曲部２１は、配線ダクト７の底部を形成するとともに、レール部材２２を架設するための支持部となっている。すなわち、下部折曲部２１は、天板５の前後方向内側に折曲した後、上方に折曲し、さらに前後方向外側に折曲しており、これによって下部折曲部２１の端縁が外側に露出しないようになっている。
【００２８】
そして、特に天板５の前後方向内側に折曲した部位２１ａに、配線コード類が引き回されるようになっている。例えば、床面等に設けられた電源に接続するテーブルタップなどが天板支持体４側から配線ダクト７内の下部折曲部２１の前記部位２１ａ上に引き込まれ、ここに収容されることにより、移動什器３に載せられた電子機器や天板５上に配置される電子機器、照明装置等の配線は、天板５上を引き回されることなく、配線挿通用開口部６を通って配線ダクト７内のテーブルタップなどに、容易に、かつ収まり良く接続出来るようになっている。
【００２９】
側板部材１８、１８の前記下部折曲部２１、２１間には、これらの間の一部を閉塞するレール部材２２が架設されている。レール部材２２は、本発明における取付部となるもので、図２に示すように配線ダクト７を構成する側板部材１８、１８の左右方向における一方の側、本実施形態では図１中に二点鎖線で示すように、天板５の上にフレーム５０を介して配設されたモニター５１が位置する側に、配設されている。本実施形態では、図２に示すように側板部材１８、１８の左右方向の長さの半分より短い範囲に、レール部材２２が設けられている。
【００３０】
このレール部材２２は、図５に示すように上レール部材２３と下レール部材２４とによって形成されている。上レール部材２３は、一対の側板部材１８、１８のそれぞれの下部折曲部２１間に配置された長細い矩形板状のもので、その前後方向両側に、一対の側板部材１８、１８のそれぞれの下部折曲部２１に係合する上レール折曲部２５を形成している。上レール折曲部２５は、下部折曲部２１間に配置された矩形板状の部位から上方に立ち上がり、さらに前後方向外側に折曲し、その後下方に折曲したもので、側板部材１８の下部折曲部２１に係合している。これにより、上レール部材２３は一対の側板部材１８、１８のそれぞれの下部折曲部２１間に架設され、保持固定されている。
【００３１】
下レール部材２４は、上レール部材２３にネジ止めによって吊支され、固定されたもので、一対の側板部材１８、１８のそれぞれの下部折曲部２１の下面に当接してこれらの間に配置された長細い矩形板状のものである。この下レール部材２４には、その前後方向両側に、それぞれ下レール折曲部２６が形成されている。これら下レール折曲部２６は、下部折曲部２１、２１間に配置された矩形板状の部位から下がり、さらに前後方向内側に折曲したもので、この前後方向内側に折曲した部位３１ｂに後述するように電子機器保持体を移動可能に吊支している。
【００３２】
なお、下レール部材２４は、上レール部材２３の上面に取り付け固定されたナット（雌ねじ部）に、下レール部材２４の下面側からビス（ネジ）が挿通され、螺合されることにより、上レール部材２３に吊支され、固定されている。
このような構成のもとに本発明における取付部となるレール部材２２は、配線ダクト７の下部（底部）に設けられて、ここに保持固定されている。
【００３３】
このレール部材２２には、図３に示すように電子機器保持体２７が吊支されている。電子機器保持体２７は、コンピュータ等の電子機器、すなわちモニターを除いたハードディスク等の電子機器本体２８を保持可能に構成されたもので、レール部材２２に吊支されたホルダー２９と保持本体３０とを有して構成されている。
【００３４】
ホルダー２９は、レール部材２２の前記下レール折曲部２６、２６間に架設されたもので、図５に示すように天板５の前後方向両側に折曲部３１を形成している。折曲部３１は、下レール折曲部２６、２６間に配置された板状部３２から立ち上がり、さらに前後方向外側に折曲し、その後下方に折曲したもので、前後方向外側に折曲した部位３１ａと下方に折曲した部位３１ｂが下レール折曲部２６内に配置され、これによって該下レール折曲部２６内にその長さ方向、すなわち天板５の左右方向に移動可能に係合している。
【００３５】
ここで、この折曲部３１の前後方向外側に折曲した部位３１ａには、図３に示すように該部位３１ａを下レール部材２４の下面から所定間隔開けるための回転支持具３３が取り付けられている。この回転支持具３３は、図５に示した折曲部３１の前記部位３１ａの下側から上側に挿通されてその先端が下レール部材２４を押圧することにより、前記の下方に折曲した部位３１ｂを下降させ、下レール折曲部２６に当接させる。
【００３６】
このような構成によって折曲部３１は、前記部位３１ｂが下レール折曲部２６上に支持され、さらにこの支持状態が回転支持具３３によって保持されているため、下レール折曲部２６から脱落することなく、該下レール折曲部２６、２６間に移動可能に架設されている。また、下レール折曲部２６、２６間に架設されたホルダー２９（電子機器保持体２７）の、レール部材２２の長さ方向への移動は、前記回転支持具３３の締め付け力（押圧力）を適宜に調整することにより、円滑になされるように設定することが出来る。また、この締め付け力（押圧力）を充分に強くすれば、ホルダー２９（電子機器保持体２７）の、レール部材２２の長さ方向への移動を困難にし、ホルダー２９（電子機器保持体２７）をレール部材２２の長さ方向の所望位置に固定することも出来る。
【００３７】
ホルダー２９の板状部３２には、図３に示すようにその前後方向中央部に下方に凹んでなる凹部が形成されており、この凹部内には、垂直方向（鉛直方向）に沿って取付軸３４が配設されている。この取付軸３４には、前記保持本体３０が該取付軸３４の軸回りに正逆方向へ回動可能に取り付けられている。
【００３８】
保持本体３０は、取付軸３４に保持された保持板３５と、この保持板３５の一方の側から下降する側板部３６と、この側板部３６の下端部から水平方向に延びる載置板３７とを有して構成されている。保持板３５は、前記取付軸３４より一回り大きい貫通孔（図示せず）を有し、この貫通孔が取付軸３４に嵌遊することにより、取付軸３４に対してその軸回りに回動可能に取り付けられている。なお、取付軸３４には、当然ながらナット等による抜け止めが設けられ、これによってホルダー２９と保持板３５とは、取付軸３４や抜け止めを介して回動可能に連結されている。
【００３９】
側板部３６は、電子機器本体２８の一方の側面に当接してこれを支持するように構成されたもので、その内部にベルト３８を通すことが出来るように、中空に形成されている。
載置板３７は、電子機器本体２８の底面を支持することで電子機器本体２８を載置するもので、その底面側に前記ベルト３８が通されるようになっている。
【００４０】
ベルト３８は、載置板３７上に載置された電子機器本体２８を保持本体３０に固定するためのもので、その中央部が前記側板部３６内に収容され、一端側が保持板３５から引き出され、他端側が載置板３７の先端側（側板部３６と反対の側）から引き出された状態で、保持本体３０に保持されている。このような構成によってベルト３８は、その一端側と他端側とが、載置板３７上に載置された電子機器本体２８の、側板部３６側の側面と反対の側面にて連結部材３９によって互いに連結されることにより、電子機器本体２８を保持本体３０に固定するようになっている。
【００４１】
このように電子機器本体２８を保持固定する電子機器保持体２７は、通常は図１に示すように保持本体３０の側板部３６が一方の天板支持体４に隣接して配置され、したがって電子機器保持体２７に保持固定された電子機器本体２８はその側面が一方の天板支持体４に対向してこれに隣接して配設される。また、必要に応じてホルダー２９を９０°回動することにより、図２中に二点鎖線で示すように、電子機器本体２８の側面を天板５の左右方向に沿わせて配置することも出来る。
【００４２】
本実施形態のテーブル什器２およびテーブル装置１では、前記天板５の下方の空間部における、配線ダクト７の前後の空間部を、図１に示したように移動什器３の収容空間４０としている。
移動什器３としては、特に限定されることなく従来公知の種々のものが使用可能であり、例えば前記特許文献２（特開２０１３−１７７０９号公報）に開示されたカート装置が用いられる。
【００４３】
この移動什器３（カート装置）は、図６に示すように最下部を構成するベース部６０と、このベース部６０から突出して上方へ延びる支持基体６１と、支持基体６１の高さ方向中間部に設けられた複数の収納部材６２と、支持基体６１の上端部に設けられた上板６３と、上板６３から水平方向へ突出して設けられた操作ハンドル部６４と、上板６３から上方へ突出して設けられた電子機器ユニット６５と、を備えるものである。
【００４４】
このような移動什器３では、電子機器ユニット６５とは別に、例えばその上板６３上に異なる電子機器（図示せず）が載置され、使用出来るようになっている。
また、このような移動什器３は、これを使用する執務者によって移動させられるが、その際、例えば執務者どうしが前記テーブル什器２を囲んで打ち合わせなどを行う場合、図１、図７に示すように移動什器３の一部、例えば上板６３より下側でかつ前面側が前記テーブル什器２の収容空間４０に収容されて用いられる。
【００４５】
このように移動什器３の一部を収容空間４０に収容することで、テーブル什器２が置かれた部屋を効率的に用いることができ、また、電子機器ユニット６５や上板６３上に載置された電子機器の電源を、テーブル什器２の配線ダクト７内から容易にとることが出来る。すなわち、電子機器ユニット６５や電子機器の配線を床面上に這わすことなく、また、室内設けられた電源にまで引き回すことなく、天板５の配線挿通用開口部６内（配線ダクト７内）に引き回されている電源に容易に接続することが出来る。
【００４６】
また、本実施形態では、特にレール部材２２を介して配線ダクト７に電子機器保持体２７を吊支し、電子機器保持体２７とこれに保持される電子機器本体２８とを共に配線ダクト７の下方に位置させているので、天板５の下方の空間部における配線ダクト７の前後の空間部を移動什器３の収容空間４０として有効利用することが出来る。
【００４７】
すなわち、本実施形態のテーブル什器２およびテーブル装置１にあっては、電子機器保持体２７とこれに保持される電子機器本体２８とを共に配線ダクト７の下方に位置させているので、移動什器３を電子機器保持体２７やこれに保持される電子機器本体２８に干渉されることなく、収容空間４０に良好に収めることが出来る。したがって、テーブル什器２に対して移動什器３を良好に組合せることが出来る。例えば、図１ではテーブル什器２に対して移動什器３を一つしか組み合わせていないが、テーブル什器２の前後方向に相対向させて移動什器３を対に配置することができ、さらに、テーブル什器２の左右方向にも移動什器３を隣り合わせて複数配置することが出来る。
【００４８】
また、レール部材２２を配線ダクト７の下部に設けたので、電子機器保持体２７とこれに保持される電子機器本体２８とを、より確実に配線ダクト７の下方に位置させることが出来、したがって配線ダクト７の前後の空間部を移動什器３の収容空間４０としてより確実に有効利用することが出来る。
【００４９】
また、電子機器保持体２７を、レール部材２２に対して天板５の左右方向に沿って移動可能に吊支したので、移動什器３の位置や電源の位置に応じて、電子機器保持体２７や電子機器本体２８の配置を容易に変更することが出来る。したがって、テーブル什器２の使い勝手を良好なものとすることが出来る。
【００５０】
また、電子機器保持体２７が、電子機器本体２８の向きが取付軸３４（垂直軸）の軸回りに回動可能となるように保持しているので、例えば電子機器本体２８の薄厚となる方向、すなわちその側面を天板５の前後方向に向けることにより、電子機器本体２８の前後方向における寸法を小寸に収めることが出来、したがって移動什器３の収容空間４０を広く確保することが出来る。
【００５１】
なお、図１に示すように電子機器本体２８を一方の天板支持体４側に寄せてこれに隣接配置している場合には、その状態では天板支持体４に干渉されることで電子機器本体２８を回動することができない。しかし、前述したように電子機器保持体２７を天板５の左右方向に沿って移動可能に構成しているので、図２中に二点鎖線で示すように電子機器本体２８を電子機器保持体２７とともに左右方向の中央側に寄せた後、保持本体３０を回動することで、図２中に実線で示すように電子機器本体２８を天板支持体４に干渉されることなく回動することが出来る。
【００５２】
また、電子機器保持体２７を、電子機器本体２８と共に、少なくとも天板支持体４、４のいずれか一つに隣接する位置に配置可能に構成したので、このように電子機器保持体２７を天板支持体４に隣接配置することにより、電子機器保持体２７やこれに保持される電子機器本体２８が収容空間４０に収められる移動什器３により干渉しないようにすることが出来る。したがって、移動什器３の収容空間４０を広く確保することが出来、テーブル什器２の使い勝手をより良好なものとすることが出来る。
【００５３】
なお、本発明は前記実施形態に限定されることなく、本発明の主旨を逸脱しない範囲で種々の変更が可能である。
例えば、前記実施形態では配線ダクト７の下部にレール部材２２（取付部）を設け、このレール部材２２を介して電子機器保持体２７を吊支し、電子機器保持体２７とこれに保持される電子機器本体２８とを共に配線ダクト７の下方に位置させるようにしたが、例えば天板５の下面に取付部を取り付け、この取付部を配線ダクト７の側板部材１８に沿わせて下降させ、配線ダクト７の下方にてこの取付部に電子機器保持体２７を吊支し、電子機器保持体２７とこれに保持される電子機器本体２８を共に配線ダクト７の下方に位置させるようにしてもよい。
【００５４】
また、前記実施形態では、図２に示したように側板部材１８、１８（配線ダクト７）の左右方向における一部の範囲にレール部材２２を架設し、したがって電子機器保持体２７とこれに保持される電子機器本体２８を側板部材１８、１８（配線ダクト７）の左右方向における一部の範囲で移動可能にしたが、例えば側板部材１８、１８（配線ダクト７）の左右方向における全長に亘ってレール部材２２を架設し、電子機器保持体２７とこれに保持される電子機器本体２８を側板部材１８、１８（配線ダクト７）の左右方向における全長に亘って移動可能に構成してもよい。
【符号の説明】
【００５５】
１…テーブル装置、２…テーブル什器、３…移動什器、４…天板支持体、５…天板、６…配線挿通用開口部、７…配線ダクト、２２…レール部材（取付部）、２７…電子機器保持体、２８…電子機器本体（電子機器）、３４…取付軸、４０…収容空間
【図１】
2015080628.tif 000003
【図２】
2015080628.tif 000004
【図３】
2015080628.tif 000005
【図４】
2015080628.tif 000006
【図５】
2015080628.tif 000007
【図６】
2015080628.tif 000008
【図７】
2015080628.tif 000009